(57)【要約】      （修正有）【課題】別途清潔な水を必要とせず、長期間保存できる防災用清拭セットを提供する。【解決手段】防災用清拭セット１００は、除菌剤が収容された密閉した収容部材１１０と、除菌剤を吸収可能な吸収材１２０と、を備える。また、不要物を廃棄するための袋部材１３０と、袋部材を直立させて保持するためのホルダ１４０と、を備える。【選択図】図１
0003226421.tif 000002
【実用新案登録請求の範囲】
【請求項１】
除菌剤が収容された状態で密閉された収容部材と、
前記除菌剤を吸収可能な吸収材と、を備える防災用清拭セット。
【請求項２】
不要物を廃棄するための袋部材と、
前記袋部材を直立させて保持するためのホルダと、を備えることを特徴とする請求項１に記載の防災用清拭セット。
【請求項３】
少なくとも、前記収容部材と、前記吸収材とを収容するための外装部を備えることを特徴とする請求項１または２に記載の防災用清拭セット。
【請求項４】
前記収容部材は、収容された前記除菌剤に関する説明が記載され、
前記吸収材は、圧縮状態では略円柱状であり、広げた状態では略矩形状の面状のシートであり、
前記外装部は、前記防災用清拭セットに関する説明が記載されていることを特徴とする請求項３に記載の防災用清拭セット。
【考案の詳細な説明】
【技術分野】
【０００１】
本考案は、防災用清拭セットに関する。
【背景技術】
【０００２】
従来、災害時に避難した避難所等で被災者、避難者が入浴に代えて体を清潔に保つには、タオルを清潔な水で濡らしたり、特許文献１のように真空包装され抗菌剤が含浸されたタオルを利用したりして、体を拭く方法が知られている。
【先行技術文献】
【特許文献】
【０００３】
【特許文献１】特開２０１４−２０４９９４号公報
【考案の概要】
【考案が解決しようとする課題】
【０００４】
しかしながら、前者の方法では、避難所で十分な量の清潔な水を入手することが難しいために実際に実施することが困難である。また、後者の方法では、真空包装の保存期限が超えないように短期間でタオル製品を交換する必要があるために、交換費用や購入費用等が掛かったり、保存期限を超えたときに交換を忘れたりする問題がある。
【０００５】
本考案は、上述したような問題点に鑑みてなされたものであり、別途清潔な水を必要とせず、長期間保存できる防災用清拭セットを提供することを目的とする。
【課題を解決するための手段】
【０００６】
本考案は、除菌剤が収容された状態で密閉された収容部材と、前記除菌剤を吸収可能な吸収材と、を備えることを特徴とする。
【考案の効果】
【０００７】
本考案によれば、別途清潔な水を必要とせず、長期間保存できる防災用清拭セットを提供することができる。
【図面の簡単な説明】
【０００８】
【図１】防災用清拭セットの構成の一例を模式的に示す外観斜視図である。
【図２】吸収材の構成の一例を示す図である。
【図３】外観ホルダの利用例を示す外観斜視図である。
【図４】防災用清拭セットの収容時の状態を示す模式図である。
【考案を実施するための形態】
【０００９】
図１は、防災用清拭セット１００の構成の一例を模式的に示す外観斜視図である。
防災用清拭セット１００（以下、清拭セット１００という）は、構成部材として、収容部材１１０と、吸収材１２０と、袋部材１３０と、外観ホルダ１４０と、ちりとり構成部１５０とを備える。
【００１０】
収容部材１１０は、除菌剤を収容するための部材として機能する。収容部材１１０は、内部に除菌剤を収容した状態で密閉される。収容部材１１０は、例えば、１４ｃｍ×７ｃｍの大きさの略矩形状であり、４辺を密閉することで、内部の除菌剤が外部に漏れないようになっている。また、収容部材１１０は、除菌剤を取り出しやすいように、密閉した４辺のうち一辺に切り込み口を設けている。なお、収容部材１１０は、外観ホルダ１４０に収容できる大きさであればよく、上述した大きさに限られない。また、収容部材１１０は表面に収容された除菌剤に関する説明が記載されていてもよい。
【００１１】
また、収容部材１１０に収容された除菌剤は、次亜塩素酸のナトリウム塩である次亜塩素酸ナトリウム（ＮａＣｌＯ）と、純水とからなる薬剤である。また、本実施形態では、純水にＲＯ（逆浸透膜）純水が用いられる。
【００１２】
ここで、純水とは、純度の高い水、すなわち水中に水（Ｈ2Ｏ）以外の物質が存在しないものを指す。通常では水、例えば水道水は様々な不純物が存在している。不純物とは、例えば、塩類、殺菌のための残留塩素、溶解性でない微粒子、その他ヘンリーの法則により水道水に溶け込んだ粒子等である。不純物を含まない純水を用いることで、次亜塩素酸ナトリウムが不純物と反応してしまうことを防止でき、除菌剤を長期間に亘って保存することができる。
【００１３】
したがって、除菌剤には、一定以上の純度の基準、例えば、所定の電気抵抗率等の指標を満たす水を用いる。なお、本実施形態では、ＲＯ純水を用いたが、それ以上の純度を有する水、例えば超純水や理論純水等を用いてもよい。
【００１４】
また、除菌剤の水素イオン指数（ｐＨ）は１０．０〜１１．０であり、濃度は１００〜１１５ｐｐｍである。
除菌剤は、上述した薬剤、イオン指数、濃度が、殺菌、除菌、消臭効果の観点、製造コストのバランス、保存可能年数等から最適である。
【００１５】
なお、除菌剤は、上述した薬剤に限られず、次に例示する薬剤であってもよい。除菌剤は、例えば、次亜塩素酸ナトリウム（ｐＨ１１以上）、次亜塩素酸水と電解水（ｐＨ１０未満）、次亜塩素酸水と電解水（ｐＨ１１以上）、ポビドンヨード、エタノール、二酸化塩素、ホルマリン、オゾン水、グルタールアルデヒド、塩化ベンザルコニウム、クロルテキシジン、テゴー５１、クレゾール、フェノール、銀イオン等の薬剤、イネ、ヒノキ、柑橘類等の植物を原料としている製剤、バクテリアを原料としている製剤等であってもよい。
【００１６】
また、除菌剤は、上述した濃度に限られない。除菌剤は、上述した濃度以外、例えば２００ｐｐｍであってもよい。また、収容部材１１０に収容される除菌剤の量は、吸収材１２０が吸収できる適切な量を密閉する。
【００１７】
このような除菌剤を収容部材１１０に収容して密閉することで、常温で保存されているにも関わらず約５年間は、除菌剤がその効果を保つことができる。
【００１８】
次に、吸収材１２０について説明する。
図２は、吸収材１２０の構成の一例を示す図である。
吸収材１２０は、液体を吸収可能な部材として機能する。吸収材１２０は、例えば、フェルト状のシート等の不織布が用いられる。本実施形態の吸収材１２０は、収容部材１１０に収容されている除菌剤を吸収することで、圧縮状態から広げた状態に遷移して清拭をするための清拭シートとなる。圧縮状態の吸収材１２０は、図２（ａ）のように、例えば、直径３ｃｍ、厚さ０．５ｃｍの大きさの略円柱状である。一方、広げた状態の吸収材１２０は、図２（ｂ）のように、例えば、４０ｃｍ×３０ｃｍの大きさの略矩形状である。吸収材１２０は、面状のシートに圧力をかけてシート内部の繊維等に含まれる空気、水分等を排除しながら形状を整えることで、図２（ａ）のような圧縮状態を維持することができる。圧縮状態の吸収材１２０は、外観ホルダ１４０の皿状容器１４２に収容される。
【００１９】
また、吸収材１２０は、上述した形態が、製造コストや、外観ホルダ１４０への収容の観点から最適である。ただし、吸収材１２０は、他の形態、他の材質であってもよい。吸収材１２０は、例えば、球形、その他の形状の圧縮タオルであってもよく、面状のシートを折り畳んだものであってもよい。また、吸収材１２０は、例えば、除菌剤を吸収できるようなちり紙等の難水溶性の特性を有する紙であってもよい。
【００２０】
本実施形態の吸収材１２０は、収容部材１１０に収容された除菌剤を吸収させることで、吸収材１２０内部の繊維が膨張して、図２（ａ）のような圧縮状態から図２（ｂ）のような広げた状態である面状のシートとなる。なお、収容部材１１０は、上述した除菌剤を吸収させる場合に限られず、上述で例示した薬剤を吸収させてもよく、水を吸収させてもよい。
【００２１】
次に、袋部材１３０について説明する。
図３は、外観ホルダ１４０の利用例を示す外観斜視図である。
袋部材１３０は、不要物等を廃棄するための部材として機能する。袋部材１３０は、清拭セット１００を利用することで発生した不要物、例えば、清拭が終わった後の吸収材１２０や、除菌剤を取り出した後の収容部材１１０等を収容して廃棄する。
【００２２】
袋部材１３０は、略矩形の袋状であって、４辺のうち一辺に開口部を有する。袋部材１３０は、開口部を通して内部に不要物等を収容する。また、本実施形態の袋部材１３０は、開口部の近傍に一対の取手を有する。なお、袋部材１３０は、一対の取手を有する場合に限られず、一対の取手を有していなくてもよい。
【００２３】
また、袋部材１３０は、外観ホルダ１４０に収容する場合に、折り畳んで体積を縮めた状態で収容できるように、形状を変化させやすい材質で構成される。袋部材１３０は、例えば、ポリ袋、市販のビニール袋が、調達および収容の面から最適である。ただし、袋部材１３０は、他の形態、他の材質であってもよい。袋部材１３０は、例えば、紙袋、麻袋、透明なビニール袋等であってもよい。
【００２４】
また、袋部材１３０は、後述する外装１４１を変形させたホルダと組み合わせることで、図３（ａ）のような廃棄物収集容器である簡易ゴミ箱として用いることができる。例えば、避難所ですぐにゴミを廃棄できない場合、公衆衛生上の点で好ましくない。簡易ゴミ箱を不要物、例えば使用した後の清拭シートの廃棄場所とすることで、清拭により発生するゴミを一時的に収容することができるために、公衆衛生の改善を図ることができる。
【００２５】
次に、外観ホルダ１４０について説明する。
図４は、清拭セット１００の収容時の状態を示す模式図である。
外観ホルダ１４０は、清拭セット１００の構成部材、すなわち、収容部材１１０、吸収材１２０等を収容する外装部として機能する。外観ホルダ１４０は、外装１４１と、皿状容器１４２とを有する。
【００２６】
まず、外装１４１について説明する。
外装１４１は、外観ホルダ１４０の皿状容器１４２を一体的に接続するための基台部として機能する。また、外装１４１は、変形させることで袋部材１３０を直立させて保持するためのホルダとして機能する。外装１４１は、例えば厚紙が用いられる。
【００２７】
外装１４１は、３つの正方形状の面状部１４１ａと、上下方向に長い略矩形状の２つの節部１４１ｂとが左右方向に交互に配置して構成される。すなわち、外装１４１は、隣り合う面状部１４１ａの間に節部１４１ｂが配置される。具体的に、外装１４１は、一枚の厚紙が折り曲げ線に沿って折り曲げられることで、折り曲げ線を境界として面状部１４１ａと節部１４１ｂとが区分けされる。
【００２８】
折り曲げていない状態の外装１４１は、例えば、４０ｃｍ×１２ｃｍの大きさの左右方向に長い略矩形状である。外装１４１の一辺の長さは、面状部１４１ａの大きさと節部１４１ｂの大きさとにより決定される。面状部１４１ａは一辺が１２ｃｍの大きさの正方形であり、節部１４１ｂは長辺が１２ｃｍ、短辺が３ｃｍの大きさの長方形である。外装１４１の短辺の長さは、面状部１４１ａの一辺の長さと同一であることから１２ｃｍである。一方、外装１４１の長辺の長さは、３つの面状部１４１ａと２つの節部１４１ｂの短辺とを合計した４０ｃｍである。
【００２９】
また、外装１４１は、面状部１４１ａと節部１４１ｂとの間の境界に沿って９０度で折り曲げて、左右端の面状部１４１ａ同士を重ね合わせることで、図４（ｂ）のように面状部１４１ａと節部１４１ｂとにより囲まれた収容空間Ｓが形成される。収容空間Ｓには清拭セット１００の構成部材を収容することができる。なお、外装１４１は、清拭セット１００の構成部材を収容できる大きさであればよく、上述した大きさに限られない。例えば、面状部１４１ａは、構成部材等の大きさを考慮して、一辺の長さを１０〜１５ｃｍの範囲で変更してもよい。また、節部１４１ｂは、構成部材等の厚さを考慮して、短辺の長さを２．５〜５ｃｍの範囲で変更してもよい。すなわち、外装１４１は、大きさを３５〜５５ｃｍ×１０〜１５ｃｍの範囲で変更してもよい。
【００３０】
また、外装１４１は、面状部１４１ａと節部１４１ｂを一枚の厚紙を区分けすることで構成する場合について説明したが、この場合に限られず、面状部１４１ａと節部１４１ｂとを別々の部材にしてテープ等により接着することで構成してもよい。
【００３１】
また、面状部１４１ａは、表面および裏面に清拭セット１００に関する説明が記載されている。なお、面状部１４１ａの表面は外装１４１で清拭セット１００の構成部材を収容した場合に外側となる面であり、裏面は外装１４１で清拭セット１００の構成部材を収容した場合に内側となる面である。左端の面状部１４１ａの表面には、図４（ａ）のように、清拭セット１００に関する記載として保存可能年数等の製品の特徴が記載され、裏面には、使用方法、注意点等の説明が図入りで記載されている。一方、右端の面状部１４１ａの表面には、どのような用途で利用できるか等の説明が記載され、裏面には、ちりとり構成部１５０の使用方法、袋部材１３０と外装１４１を変形させたホルダとで構成される簡易ゴミ箱の作り方が記載されている。
【００３２】
次に、皿状容器１４２について説明する。
皿状容器１４２は、外観ホルダ１４０に清拭セット１００の構成部材を収容するときに、吸収材１２０を収容するための容器として機能する。また、皿状容器１４２は、清拭セット１００を利用する場合に、吸収材１２０に収容部材１１０の除菌剤を吸収させるときに周りに除菌剤をこぼさないための容器として機能する。
【００３３】
皿状容器１４２は、外装１４１の中央の面状部１４１ａの中央よりも左側寄りに上下方向に並べて２つ配置される。皿状容器１４２は、底部が外装１４１と接着剤で一体的に接続される。なお、皿状容器１４２は、外装１４１と溶着、両面テープ等で接続されていてもよく、接着剤で接続される場合に限られない。
【００３４】
皿状容器１４２は、例えばプラスチックが用いられる。皿状容器１４２は、直径５ｃｍ、厚さ１ｃｍの大きさの中空有底の略円柱状である。皿状容器１４２の内部は、圧縮状態の吸収材１２０の大きさよりも大きいことから、圧縮状態の吸収材１２０を収容することができる。なお、皿状容器１４２は、圧縮状態の吸収材１２０の形状に合わせるために略円柱状であるが、この場合に限られず、他の形状であってもよい。皿状容器１４２は、例えば、圧縮状態の吸収材１２０の形状に合わせた他の形状であってもよい。
【００３５】
また、本実施形態の皿状容器１４２は、開口縁に舌片状のストッパ１４２ａを有する。ストッパ１４２ａは、皿状容器１４２に衝撃等が加えられた場合に、内部に収容された吸収材１２０が飛び出さないように規制する。なお、皿状容器１４２は、ストッパ１４２ａを有する場合に限られず、ストッパ１４２ａを有していなくてもよい。
【００３６】
外観ホルダ１４０に清拭セット１００の構成部材を収容する場合、最初に皿状容器１４２に圧縮状態の吸収材１２０を収容する。次に、収容部材１１０、袋部材１３０を外装１４１の中央の面状部１４１ａに置いた上で、左右端の面状部１４１ａ同士を重ね合わせるように面状部１４１ａと節部１４１ｂとの間の境界線で折り曲げる。このように、外装１４１を折り曲げることで、図４（ｂ）のように、清拭セット１００の構成部材の一式を面状部１４１ａで挟み込むように、収容空間Ｓに収容することができる。また、本実施形態では、清拭セット１００の構成部材が収容された外観ホルダ１４０を、さらにラップフィルム等の包装部材により包装することにより、外観ホルダ１４０の隙間から収容部材１１０等が落下することを防止する。なお、外観ホルダ１４０は、包装部材により包装される場合に限られず、外観ホルダ１４０の周囲を、例えば、輪ゴム、紐等で巻回されてまとめるようにしてもよい。
【００３７】
次に、ちりとり構成部１５０について説明する。
ちりとり構成部１５０は、清拭シート等の不要物を廃棄する場合のちりとりとして機能する。ちりとり構成部１５０は、外装１４１の右端の面状部１４１ａの端部に一体で結合される。したがって、ちりとり構成部１５０は、外装１４１と同様、例えば厚紙が用いられる。ちりとり構成部１５０は、外装１４１から切り離して、図３（ｂ）のように、山折り線に沿って折り曲げることで簡易的なちりとりとして構成される。
【００３８】
ちりとり構成部１５０は、一つの面状部１４１ａと略同一の大きさである。すなわち、ちりとり構成部１５０は一辺が１２ｃｍの大きさの正方形である。ちりとり構成部１５０は、一方側の面に山折り線が記載される。
なお、本実施形態のちりとり構成部１５０は、外装１４１の右端の面状部１４１ａの端部に一体で結合される場合に限られず、外装１４１とは別体の部材で構成して、外装１４１に結合してもよい。
【００３９】
以上のように構成される清拭セット１００を利用者が利用して清拭する方法について説明する。
まず、利用者は清拭セット１００の外観ホルダ１４０を包装しているラップフィルムを剥がし、清拭セット１００の構成部材である収容部材１１０、袋部材１３０を外観ホルダ１４０から取り出す。
次に、ちりとり構成部１５０を外観ホルダ１４０の外装１４１から切り離し、山折り線に沿って折り曲げて変形させることで、図３（ｂ）のようなちりとりを構成する。
【００４０】
次に、外装１４１の折り曲げを矯正させるように広げて、各面状部１４１ａの表面を床面に接地させる。この状態では、吸収材１２０を収容した皿状容器１４２の開口縁および底部が略水平になる。次に、収容部材１１０の４辺のうち一辺に設けられた切り込み口から開封して、収容された除菌剤を皿状容器１４２内に滴下する。このとき、皿状容器１４２には吸収材１２０が収容されているため、除菌剤は吸収材１２０に滴下され、吸収材１２０によって吸収される。なお、収容部材１１０に収容される除菌剤の量は、吸収材１２０が吸収できる適切な量であるために、収容部材１１０に収容された除菌剤がなくなるまで除菌剤を滴下することができる。
【００４１】
除菌剤を吸収することにより、吸収材１２０は、図２（ａ）のような略円柱状の圧縮状態から図２（ｂ）のような広げた状態に遷移して、清拭をすることができる面状のシート状になる。利用者は、除菌剤を吸収した面状のシートとなった吸収材１２０を、清拭シートとして用いることで清拭することができる。
【００４２】
次に、外装１４１の面状部１４１ａと節部１４１ｂとの境界線を折り曲げて、３つの面状部１４１ａが略コ字状になるように変形させて、各面状部１４１ａの面が垂直になるように立たせる。図３（ａ）のように、外装１４１は袋部材１３０を直立させて保持することで簡易ゴミ箱を構成する。
清拭が終了した後の吸収材１２０、除菌剤が取り出された収容部材１１０、その他の清拭により発生した不要物を、ちりとり構成部１５０を変形させたちりとりで収集して簡易ゴミ箱に廃棄する。
【００４３】
なお、簡易ゴミ箱、ちりとりは、場合によっては構成しなくてもよい。また、不要物を廃棄できる廃棄場所がある場合には、簡易ゴミ箱に廃棄せずに直接、廃棄場所に廃棄してもよい。
【００４４】
このように、本実施形態の清拭セット１００によれば、清拭をする際に、十分な量の清潔な水が入手できなくても、収容部材１１０に収容された除菌剤を水の代替品として、吸収材１２０に吸収させることで清拭シートとして清拭することができる。
【００４５】
また、収容部材１１０に収容された除菌剤は、吸収材１２０と別々に保存することによって、従来のような抗菌剤とタオルとを一緒に保存する場合と比較して、除菌剤と吸収材１２０が直接、接触しないために、両者による化学反応が防止できる。したがって、従来よりも長期間である約５年を保存期間とすることができ、交換頻度の回数を減らすことができることから、交換費用や購入費用の削減、交換の忘れを防止することができる。
【００４６】
以上、本考案について上述した実施形態を用いて説明したが、本考案は上述した実施形態にのみ限定されるものではなく、本考案の範囲内で変更等が可能であり、上述した実施形態の変形例を組み合わせてもよい。
【００４７】
本実施形態では、清拭セット１００は、袋部材１３０と、外観ホルダ１４０とを備える場合について説明したが、この場合に限られない。清拭セット１００は、例えば、収容部材１１０と、吸収材１２０と、外装１４１とを備え、袋部材１３０と、外観ホルダ１４０とを備えていなくてもよい。
【符号の説明】
【００４８】
１００：清拭セット  １１０：収容部材  １２０：吸収材  １３０：袋部材  １４０：外観ホルダ  １４１：外装  １４１ａ：面状部  １４１ｂ：節部  １４２：皿状容器  １５０：ちりとり構成部
【図１】
0003226421.tif 000003
【図２】
0003226421.tif 000004
【図３】
0003226421.tif 000005
【図４】
0003226421.tif 000006
【手続補正書】
【提出日】令和2年3月19日(2020.3.19)
【手続補正１】
【補正対象書類名】実用新案登録請求の範囲
【補正対象項目名】全文
【補正方法】変更
【補正の内容】
【実用新案登録請求の範囲】
【請求項１】
除菌剤が収容された状態で密閉された収容部材と、 前記収容部材に収容された前記除菌剤を吸収可能な吸収材と、を備える防災用清拭セット。
【請求項２】
不要物を廃棄するための袋部材と、  前記袋部材を直立させて保持するためのホルダと、を備えることを特徴とする請求項１に記載の防災用清拭セット。
【請求項３】
少なくとも、前記収容部材と、前記吸収材とを収容するための外装部を備えることを特徴とする請求項１または２に記載の防災用清拭セット。
【請求項４】
前記収容部材は、収容された前記除菌剤に関する説明が記載され、  前記吸収材は、圧縮状態では略円柱状であり、広げた状態では略矩形状の面状のシートであり、  前記外装部は、前記防災用清拭セットに関する説明が記載されていることを特徴とする請求項３に記載の防災用清拭セット。
【手続補正２】
【補正対象書類名】明細書
【補正対象項目名】０００６
【補正方法】変更
【補正の内容】
【０００６】  本考案は、除菌剤が収容された状態で密閉された収容部材と、前記収容部材に収容された前記除菌剤を吸収可能な吸収材と、を備えることを特徴とする。